(57)【要約】  【課題】簡易かつ効率的に第三者の悪用を防止することができる携帯端末の提供  【解決手段】  登録解除情報変更手段ｍ１９は、携帯端末Ｍ１がおかれた状態が異常状態であると判断した後から入力手段ｍ１に対する入力禁止を解除するまでの間に、登録解除情報を変更する。また、異常状態であると判断した後で所定の時間が経過すると、登録解除情報を変更する。解除情報変更報知手段ｍ２１は、登録解除情報が変更されると、予め定められた通知先へ変更後の登録解除情報を知らせる。また、アドレス記憶手段ｍ２３に記憶しているメールアドレスに変更後の登録解除情報を送信する。これにより、第三者が登録解除情報を知り得たとしても、当該第三者が知った登録解除情報は既に適当でないものとすることができる。また、登録解除情報を定期的に変更することができる。よって、第三者による携帯端末の悪用をより効果的に防止することができる。【選択図】    図１
2008104231.tif 000002
【特許請求の範囲】
【請求項１】
外部からの入力を受け付ける入力手段、
自らのおかれた状態を検出する状態検出手段、
自らがおかれた状態が異常状態であるか否かを判断する状態判断手段、
自らがおかれた状態が異常状態であると判断した場合、前記入力手段に対する入力を禁止する入力禁止手段、
を有する携帯端末。
【請求項２】
請求項１に係る携帯端末において、
前記状態検出手段は、
自らに加わる加速度を検出する加速度検出手段、
を有し、
前記状態判断手段は、
検出した加速度に基づいて、自らがおかれた状態が異常状態であるか否かを判断すること、
を特徴とする携帯端末。
【請求項３】
請求項１に係る携帯端末において、
前記状態検出手段は、
自らの位置を検出する位置検出手段、
を有し、
前記状態判断手段は、
検出した位置に基づいて、自らがおかれた状態が異常状態であるか否かを判断すること、
を特徴とする携帯端末。
【請求項４】
請求項１〜請求項３に係る携帯端末のいずれかにおいて、
前記携帯端末は、さらに、
前記入力手段に対する入力禁止を解除するための解除情報を登録解除情報として記憶保持する解除情報記憶手段、
前記入力手段から前記解除情報を取得解除情報として取得する解除情報取得手段、
前記登録解除情報及び前記取得解除情報に基づき、前記取得解除情報の適否を判断する解除情報判断手段、
前記取得解除情報が適当であると判断すると、前記入力手段に対する入力禁止を解除する入力禁止解除手段、
自らがおかれた状態が異常状態であると判断した後から前記入力手段に対する入力禁止を解除するまでの間に、前記登録解除情報を変更する登録解除情報変更手段、
を有する携帯端末。
【請求項５】
請求項４に係る携帯端末において、
前記登録解除情報変更手段は、
異常状態であると判断した後で所定の時間が経過すると、前記登録解除情報を変更すること、
を特徴とする携帯端末。
【請求項６】
請求項４に係る携帯端末において、
前記登録解除情報変更手段は、
異常状態であると判断した場合に、前記登録解除情報を変更すること、
を特徴とする携帯端末。
【請求項７】
請求項４に係る携帯端末において、
前記登録解除情報変更手段は、
入力が禁止されている前記入力手段に対して所定の入力操作があると、前記登録解除情報を変更すること、
を特徴とする携帯端末。
【請求項８】
請求項４に係る携帯端末において、
前記登録解除情報変更手段は、
前記取得解除情報が適当でないと判断すると、前記登録解除情報を変更すること、
を特徴とする携帯端末。
【請求項９】
請求項４〜請求項８に係る携帯端末のいずれかにおいて、さらに、
前記登録解除情報が変更されると、予め定められた通知先へ変更後の登録解除情報を知らせる解除情報変更報知手段、
を有する携帯端末。
【請求項１０】
請求項９に係る携帯端末において、
前記解除情報変更報知手段は、
所定のメールアドレスを記憶しているアドレス記憶手段に記憶している前記メールアドレスに変更後の登録解除情報を送信すること、
を特徴とする携帯端末。
【請求項１１】
請求項２、請求項４〜請求項１０に係る携帯端末のいずれかにおいて、
前記状態判断手段は、
落下状態を前記異常状態と判断すること、
を特徴とする携帯端末。
【請求項１２】
請求項１１に係る携帯端末において、
前記状態判断手段は、
取得した加速度が所定の値を超えた場合に、前記落下状態とすること、
を特徴とする携帯端末。
【請求項１３】
請求項２、請求項４〜請求項１０に係る携帯端末のいずれかにおいて、
前記状態判断手段は、
自らが放置状態にあることを異常状態と判断すること、
を特徴とする携帯端末。
【請求項１４】
請求項１３に係る携帯端末において、
前記状態判断手段は、
取得した加速度が、所定の時間内において所定の範囲内での変化しかない場合に、前記放置状態とすること、
を特徴とする携帯端末。
【請求項１５】
携帯端末の悪用を防止するための携帯端末用悪用防止プログラムであって、
携帯端末に対して、
携帯端末がおかれた状態を検出させるステップ、
携帯端末がおかれた状態が異常状態であるか否かを判断させるステップ、
携帯端末がおかれた状態が異常状態であると判断した場合、入力手段に対する入力を禁止させるステップ、
を実行させる携帯端末用悪用防止プログラム。
【請求項１６】
請求項１５に係る携帯端末用悪用防止プログラムにおいて、
携帯端末に加わる加速度を検出させることによって、前記携帯電話がおかれた状態を検出させ、
検出した加速度に基づいて、携帯端末がおかれた状態が異常状態であるか否かを判断させること、
を特徴とする携帯端末用悪用防止プログラム。
【請求項１７】
請求項１５に係る携帯端末用悪用防止プログラムにおいて、
携帯端末の位置を検出させることによって、前記携帯電話がおかれた状態を検出させ、
検出した位置に基づいて、携帯端末がおかれた状態が異常状態であるか否かを判断させること、
を特徴とする携帯端末用悪用防止プログラム。
【請求項１８】
請求項１５〜請求項１７に係る携帯端末用悪用防止プログラムのいずれかにおいて、
前記携帯端末に対して、さらに、
解除情報記憶手段に前記入力手段に対する入力禁止を解除するための解除情報を登録解除情報として記憶保持させるステップ、
前記入力手段から前記解除情報を取得解除情報として取得させるステップ、
前記登録解除情報及び前記取得解除情報に基づき、前記取得解除情報の適否を判断させるステップ、
前記取得解除情報が適当であると判断すると、前記入力手段に対する入力禁止を解除させるステップ、
携帯端末がおかれた状態が異常状態であると判断した後に、前記登録解除情報を変更させるステップ、
を実行させる携帯端末用悪用防止プログラム。
【請求項１９】
請求項１８に係る携帯端末用悪用防止プログラムにおいて、
異常状態であると判断した後で所定の時間が経過すると、前記登録解除情報を変更させるステップ、
を実行させる携帯端末用悪用防止プログラム。
【請求項２０】
請求項１８に係る携帯端末用悪用防止プログラムにおいて、
異常状態であると判断した場合に、前記登録解除情報を変更させるステップ、
を実行させる携帯端末用悪用防止プログラム。
【請求項２１】
請求項１８に係る携帯端末用悪用防止プログラムにおいて、
入力が禁止されている前記入力手段に対して所定の入力操作があると、前記登録解除情報を変更させるステップ、
を実行させる携帯端末用悪用防止プログラム。
【請求項２２】
請求項１８に係る携帯端末用悪用防止プログラムにおいて、
前記取得解除情報が適当でないと判断すると、前記登録解除情報を変更させるステップ、
を実行させる携帯端末用悪用防止プログラム。
【請求項２３】
請求項１８〜請求項２２に係る携帯端末用悪用防止プログラムのいずれかにおいて、
前記携帯端末に対して、さらに、
前記登録解除情報が変更されると、予め定められた通知先へ変更後の登録解除情報を知らせるステップ、
を実行させる携帯端末用悪用防止プログラム。
【請求項２４】
請求項２３に係る携帯端末用悪用防止プログラムにおいて、
所定のメールアドレスを記憶しているアドレス記憶手段に記憶している前記メールアドレスに変更後の登録解除情報を送信させるステップ、
を実行させる携帯端末用悪用防止プログラム。
【請求項２５】
請求項１６、請求項１８〜請求項２４に係る携帯端末用悪用防止プログラムのいずれかにおいて、
落下状態を前記異常状態と判断させるステップ、
を実行させる携帯端末用悪用防止プログラム。
【請求項２６】
請求項２５に係る携帯端末用悪用防止プログラムにおいて、
取得した加速度が所定の値を超えた場合に、前記落下状態と判断させるステップ、
を実行させる携帯端末用悪用防止プログラム。
【請求項２７】
請求項１６、請求項１８〜請求項２４に係る携帯端末用悪用防止プログラムのいずれかにおいて、
携帯端末が放置状態にあることを異常状態と判断させるステップ、
を実行させる携帯端末用悪用防止プログラム。
【請求項２８】
請求項２７に係る携帯端末用悪用防止プログラムにおいて、
取得した加速度が、所定の時間内において所定の範囲内での変化しかない場合に、前記放置状態と判断させるステップ、
を実行させる携帯端末用悪用防止プログラム。
【請求項２９】
携帯端末の悪用を防止するための携帯端末用悪用の防止方法であって、
携帯端末が、自らに加わる加速度を検出し、
携帯端末が、検出した加速度に基づいて、携帯端末がおかれた状態が異常状態であるか否かを判断し、
携帯端末が、自らおかれた状態が異常状態であると判断した場合、入力手段に対する入力を禁止し、
携帯端末が、自らおかれた状態が異常状態であると判断した後に、前記登録解除情報を変更すること、
を特徴とする携帯端末の悪用防止方法。
【発明の詳細な説明】
【技術分野】
【０００１】
本発明は、携帯端末であって、特に、当該携帯端末の悪用を防止するものに関する。
【背景技術】
【０００２】
従来の携帯端末の悪用防止方法について、図１６に示す悪用防止システムを用いて説明する。悪用防止システム１００は、携帯電話などの移動通信端末１０１０と、移動通信端末１００と交信する無線基地局１０１２と、携帯電話網などの移動通信網１０１４と、Ｗｅｂブラウザからのリクエストに応じて要求されているＨＴＭＬファイルなどを送信可能なＷｅｂサーバ１０１６と、電子メールの送受信を担当するメールサーバ１０１８と、移動通信端末１０１０の位置情報などを記憶するＤＢサーバ１０２０と、移動通信端末１０１０の位置情報を受け取ったらその位置情報を知らせる電子メールをインターネット網１０２４を介して所有者の別の通信端末１０３０に送信などするアプリケーションサーバ１０２２とを備える。
【０００３】
次に、悪用防止システム１００の動作を図１７に示すフローチャートに基づいて説明する。移動通信端末１０１０は、異常操作発生検出を行う（Ｓ１０１０３）。ここでは、予め登録された情報を用いない操作が行われない場合、異常操作発生として検出される。例えば、移動通信端末１０１０の記憶部（図示せず）に記憶されている電話帳に登録されていない電話番号に対して発信しようとしたり、記憶部に記憶されているブックマークに登録されていないＵＲＬに対してアクセスしようとしたりすると、異常操作発生として検出される。
【０００４】
移動通信端末１０１０は、異常操作発生と判断すると、解除コードの入力を促すメッセージが表示部に表示する（Ｓ１０１０５）。移動通信端末１０１０は、テキスト領域に入力された解除コードが記憶している解除コードと不一致であると判断すると（Ｓ１０１０７）、移動通信端末１０１０の操作を制限する（Ｓ１０１０９）。操作制限後は、移動通信端末１０１０のキーボタンが押し下げられるなどのイベントが発生しても、そのイベント発生を悪用防止アプリケーション以外のアプリケーションに通知しない。
【０００５】
移動通信端末１０１０は、移動通信端末１０１０のＧＰＳ機能等を用いて移動通信端末１０１０の位置情報を取得する（Ｓ１０１１３）。そして、移動通信端末１０１０は、位置情報を電子メール送信機能を利用してサーバに通知する（Ｓ１０１１５）。
【０００６】
【特許文献１】特開２００５−１３６９２０
【発明の開示】
【発明が解決しようとする課題】
【０００７】
前述の悪用防止システム１００には、次のような問題点がある。移動通信端末１０１０は、異常操作発生検出を行っている。しかし、検出する異常操作は、予め登録された情報を用いない操作である。つまり、予め登録された情報を用いる場合には、悪用が可能となる。
【０００８】
また、異常操作の検出にあたっては、第三者の何らかの操作が必要となる。つまり、第三者の操作がない場合、例えば、移動通信端末１０１０を落とした後、そのまま放置されている場合等には、その事実さえ知り得ない。また、放置状態にあるということは、第三者の使用の可能性を残しており、この状態を放置することは悪用防止の観点から好ましいことではない。
【０００９】
さらに、移動通信端末１０１０を落とした場合、解除情報等のデータを落としたときの状態のまま放置することは、第三者による悪用の可能性を残すこととなる。例えば、事前に解除情報を知っていた第三者が携帯端末を取得した場合には、当該第三者による悪用を防止することができない。
【００１０】
そこで、本発明は、簡易かつ効率的に第三者の悪用を防止することができる携帯端末を提供することを目的とする。
【課題を解決するための手段】
【００１１】
本発明に関する課題を解決するための手段および発明の効果を以下に示す。
【００１２】
本発明に係る携帯端末は、自らのおかれた状態を検出し、自らがおかれた状態が異常状態であるか否かを判断し、自らがおかれた状態が異常状態であると判断した場合、外部からの入力を受け付ける入力手段に対する入力を禁止する。
【００１３】
これにより、携帯端末がおかれた状態に基づいて入力手段に対する入力の禁止を行うことができるので、容易に第三者による携帯端末の悪用を防止することができる。
【００１４】
本発明に係る携帯端末は、自らに加わる加速度を検出し、検出した加速度に基づいて、自らがおかれた状態が異常状態であるか否かを判断し、自らがおかれた状態が異常状態であると判断した場合、外部からの入力を受け付ける入力手段に対する入力を禁止する。
【００１５】
これにより、加速度に基づいた入力手段に対する入力の禁止を行うことができるので、容易に第三者による携帯端末の悪用を防止することができる。
【００１６】
本発明に係る携帯端末は、自らの位置を検出を検出し、検出した位置に基づいて、自らがおかれた状態が異常状態であるか否かを判断し、自らがおかれた状態が異常状態であると判断した場合、外部からの入力を受け付ける入力手段に対する入力を禁止する。
【００１７】
これにより、検出した位置がおかれた状態に基づいて入力手段に対する入力の禁止を行うことができるので、容易に第三者による携帯端末の悪用を防止することができる。
【００１８】
本発明に係る携帯端末は、前記入力手段に対する入力禁止を解除するための解除情報を登録解除情報として記憶保持し、前記入力手段から前記解除情報を取得解除情報として取得し、前記取得解除情報及び前記解除情報記憶手段が記憶保持する前記登録解除情報に基づき、前記取得解除情報の適否を判断し、前記取得解除情報が適当であると判断すると、前記入力手段に対する入力禁止を解除し、自らがおかれた状態が異常状態であると判断した後から前記入力手段に対する入力禁止を解除するまでの間に、前記登録解除情報を変更する。
【００１９】
これにより、登録解除情報の取得されるまでに、当該登録解除情報を変更することが可能となる。したがって、第三者が登録解除情報を知り得たとしても、当該第三者が知った登録解除情報は既に適当でないものとすることができる。つまり、第三者による携帯端末の悪用を効果的に防止することができる。
【００２０】
本発明に係る携帯端末では、異常状態であると判断した後で所定の時間が経過すると、前記登録解除情報を変更する。
【００２１】
これにより、登録解除情報を定期的に変更することができるので、第三者による携帯端末の悪用をより効果的に防止することができる。
【００２２】
本発明に係る携帯端末では、異常状態であると判断した場合に、前記登録解除情報を変更する。
【００２３】
これにより、携帯端末が異常状態となると登録解除情報を変更することができるので、既に登録解除情報を知っている第三者がいたとしても、第三者による携帯端末の悪用をより効果的に防止することができる。
【００２４】
本発明に係る携帯端末では、入力が禁止されている前記入力手段に対して所定の入力操作があると、前記登録解除情報を変更する。
【００２５】
これにより、携帯端末を手にしている第三者の使用を事前に防止することができる。
【００２６】
本発明に係る携帯端末では、前記取得解除情報が適当でないと判断すると、前記登録解除情報を変更する。
【００２７】
これにより、携帯端末を操作している第三者の使用を事前に防止することができる。
【００２８】
本発明に係る携帯端末では、前記登録解除情報が変更されると、予め定められた通知先へ変更後の登録解除情報を知らせる。
【００２９】
これにより、予め定められた者だけが、変更された解除情報を知ることが可能となる。
【００３０】
本発明に係る携帯端末では、所定のメールアドレスを記憶しているアドレス記憶手段に記憶している前記メールアドレスに変更後の登録解除情報を送信する。
【００３１】
これにより、携帯端末のメール機能を利用して、解除情報を知らせることができるので、携帯端末として効率的に解除情報の変更を知らせることができる。
【００３２】
本発明に係る携帯端末では、落下状態を前記異常状態と判断する。
【００３３】
これにより、携帯端末を落とした場合の当該携帯端末の悪用を防止することができる。
【００３４】
本発明に係る携帯端末では、取得した加速度が所定の値を超えた場合に、前記落下状態とする。
【００３５】
これにより、容易に携帯端末の落下を判断することができる。
【００３６】
本発明に係る携帯端末では、自らが放置状態にあることを異常状態と判断する。
【００３７】
これにより、携帯端末が放置されている場合の当該携帯端末の悪用を防止することができる。
【００３８】
本発明に係る携帯端末では、取得した加速度が、所定の時間内において所定の範囲内での変化しかない場合に、前記放置状態とする。
【００３９】
これにより、容易に携帯端末が放置されているか否かを判断することができる。
【００４０】
ここで、請求項に記載されている要素と実施例における要素との対応関係を示す。携帯端末は携帯電話１１に対応する。入力手段は入力キー１１７に、状態検出手段は加速度センサ１１４に、加速度検出手段は加速度センサ１１４に、状態判断手段はＣＰＵ１１１及びメモリ１１３に、入力禁止手段ｍ７はＣＰＵ１１１及びメモリ１１３に、解除情報記憶手段はメモリ１１３に、解除情報獲得手段ｍ１３は入力キー１１７に、解除情報判断手段はＣＰＵ１１１及びメモリ１１３に、入力禁止解除手段はＣＰＵ１１１及びメモリ１１３に、登録解除情報変更手段はＣＰＵ１１１及びメモリ１１３に、及び解除情報変更報知手段はＣＰＵ１１１、メモリ１１３及び送受信回路１１５に、それぞれ対応する。
【００４１】
状態判断手段はステップＳ１３〜Ｓ１９、Ｓ１７０１〜Ｓ１７２１の処理を、入力禁止手段はステップＳ２１の処理を、解除情報取得手段はステップＳ３１の処理を、解除情報判断手段はステップＳ３３、Ｓ３３０１〜Ｓ３３０９の処理を、入力禁止解除手段はステップＳ３１１７の処理を、登録解除情報変更手段はステップＳ４１〜Ｓ４５、Ｓ４５０１〜Ｓ４５０５の処理を、解除情報変更報知手段はステップＳ４５０７〜Ｓ４５１３の処理を、それぞれ実行する。
【００４２】
解除情報は解除パスワードに、登録解除情報はメモリ１１３に記憶された解除パスワードに、取得解除情報は入力キー１１７から取得した解除パスワードに、それぞれ対応する。
【００４３】
「異常状態」とは、携帯端末のユーザの意志とは関係なく、当該携帯端末のユーザ以外の第三者によって、当該携帯端末が利用される可能性がある状態をいう。本実施例においては、携帯電話が落下した場合、衝撃を受けた場合、放置されている場合をいう。
【発明を実施するための最良の形態】
【００４４】
本発明における携帯端末の実施例を以下において説明する。
【実施例１】
【００４５】
1.概要
本発明に係る携帯端末の実施例１に係る機能ブロック図を図１に示す。携帯端末M１は、入力手段ｍ１、加速度検出手段ｍ３、状態判断手段ｍ５、入力禁止手段ｍ７、解除情報記憶手段ｍ１１、解除情報獲得手段ｍ１３、解除情報判断手段ｍ１５、入力禁止解除手段ｍ１７、登録解除情報変更手段ｍ１９、及び解除情報変更報知手段ｍ２１を有している。
【００４６】
入力手段ｍ１は、外部からの入力を受け付ける。加速度検出手段ｍ３は、携帯端末Ｍ１に加わる加速度を検出する。
【００４７】
状態判断手段ｍ５は、検出した加速度に基づいて、携帯端末Ｍ１がおかれた状態が異常状態であるか否かを判断する。また、状態判断手段ｍ５は、落下状態を前記異常状態と判断する。さらに、状態判断手段ｍ５は、取得した加速度が所定の値を超えた場合に、落下状態とする。さらに、状態判断手段ｍ５は、自らが放置状態にあることを異常状態と判断する。さらに、状態判断手段ｍ５は、取得した加速度が、所定の時間内において所定の範囲内での変化しかない場合に、放置状態とする。
【００４８】
入力禁止手段ｍ７は、携帯端末Ｍ１がおかれた状態が異常状態であると判断した場合、入力手段ｍ１に対する入力を禁止する。
【００４９】
解除情報記憶手段ｍ１１は、入力手段ｍ１に対する入力禁止を解除するための解除情報を登録解除情報として記憶保持する。解除情報取得手段ｍ１３は、入力手段ｍ１から解除情報を取得解除情報として取得する。解除情報判断手段ｍ１５は、登録解除情報及び取得解除情報に基づき、取得解除情報の適否を判断する。入力禁止解除手段ｍ１７は、取得解除情報が適当であると判断すると、入力手段ｍ１に対する入力禁止を解除する。
【００５０】
登録解除情報変更手段ｍ１９は、携帯端末Ｍ１がおかれた状態が異常状態であると判断した後から入力手段ｍ１に対する入力禁止を解除するまでの間に、登録解除情報を変更する。また、登録解除情報変更手段ｍ１９は、異常状態であると判断した後で所定の時間が経過すると、登録解除情報を変更する。
【００５１】
解除情報変更報知手段ｍ２１は、登録解除情報が変更されると、予め定められた通知先へ変更後の登録解除情報を知らせる。また、解除情報変更報知手段ｍ２１は、所定のメールアドレスを記憶しているアドレス記憶手段ｍ２３に記憶しているメールアドレスに変更後の登録解除情報を送信する。
【００５２】
これにより、加速度に基づいた入力手段に対する入力の禁止を行うことができるので、容易に第三者による携帯端末の悪用を防止することができる。また、第三者が登録解除情報を知り得たとしても、当該第三者が知った登録解除情報は既に適当でないものとすることができるので、第三者による携帯端末の悪用を効果的に防止することができる。さらに、登録解除情報を定期的に変更することができるので、第三者による携帯端末の悪用をより効果的に防止することができる。
【００５３】
さらに、予め定められた者だけが、変更された解除情報を知ることが可能となる。さらに、携帯端末のメール機能を利用して、解除情報を知らせることができるので、携帯端末として効率的に解除情報の変更を知らせることができる。
【００５４】
さらに、携帯端末を落とした場合の当該携帯端末の悪用を防止することができる。さらに、容易に携帯端末の落下を判断することができる。さらに、携帯端末が放置されている場合の当該携帯端末の悪用を防止することができる。さらに、容易に携帯端末が放置されているか否かを判断することができる。
【００５５】
2.  ハードウェア構成
本発明に係る携帯端末である携帯電話１１のハードウェア構成を図２を用いて説明する。携帯電話１１は、ＣＰＵ１１１、メモリ１１３、加速度センサ１１４、送受信回路１１５、ＧＰＳ回路１１６、入力キー１１７、及びＬＣＤ１１８を有している。
【００５６】
ＣＰＵ１１１は、メモリ１１３に記録されている携帯電話用オペレーティング・システム（ＯＳ）、悪用防止プログラム等その他のアプリケーションに基づいた処理を行う。メモリ１１３は、ＣＰＵ１１１に対して作業領域を提供する。また、メモリ１１３は、携帯電話用ＯＳ、悪用防止プログラム等その他のアプリケーションプログラムを記憶保持している。さらに、メモリ１１３は、加速度履歴情報、状態記録情報、解除パスワード、緊急時メールアドレス等のデータを記憶保持している。
【００５７】
加速度センサ１１４は、携帯電話１１に加わる加速度を検出する。送受信回路１１５は、携帯電話網を介して他の携帯電話、固定電話等と通話、及び電子メールの送受信を行う。ＧＰＳ回路１１６は、複数のＧＰＳ衛星から送信される電波を受信し、携帯電話１１の現在の位置を検出する。入力キー１１７は、テンキー等のキーボード、その他のボタンを有し、外部からの操作入力を受け付ける。ＬＣＤ１１８は、ユーザーインターフェイス等の画像を表示する。
【００５８】
3.  データ
携帯電話１１のメモリ１１３に記憶されている加速度履歴情報、状態記録情報等について以下において説明する。
【００５９】
3.1.  加速度履歴情報
加速度履歴情報について図３を用いて説明する。加速度履歴情報は、加速度センサ１１４が取得した加速度が、当該加速度を取得した時間と対応付けられて記録されるものである。加速度履歴情報は、［取得時間］列及び［加速度］列を有している。
【００６０】
［取得時間］列には、加速度センサ１１４が加速度を取得した時間が記述される。［加速度］列には、加速度センサ１１４が実際に取得した加速度の値が記述される。
【００６１】
このように加速度の履歴を保持することによって、現在の携帯電話１１がどのような状態にあるのかを判断することができる。例えば、所定の期間、加速度の値に変化がない、若しくは変化があったとしてもわずかしかない場合には、携帯電話１１は放置状態あると判断することができる。
【００６２】
3.2.  状態記録情報
状態記録情報とは、携帯電話１１において入力キー１１７から所定の操作が禁止されている状態において、当該携帯電話１１が現在どのような状態にあるのかを示す情報である。状態記録情報のデータ構造を図４を用いて説明する。状態記録情報は、［状態］列、［位置情報］列、［解除パスワード］列、及び［解除エラー］列を有している。
【００６３】
［状態］列には、携帯電話１１の現在の状態が記述される。具体的には、「落下」、「衝撃」、「放置」のどの状態にあるのかが、ステップＳ１７０３、Ｓ１７０９、Ｓ１７１７（図６参照）での判断に基づいて記述される。［位置情報］列には、ＧＰＳ回路１１６によって取得された現在の携帯電話１１の位置が記述される。［解除パスワード］列には、メモリ１１３に登録されている現在の解除パスワードが記述される。［解除エラー］列には、解除パスワードの入力を現在携帯電話１１を手にしているユーザに促し、当該ユーザが正確に解除パスワードを入力できたかできなかったか、が記述される。ユーザが正確に解除パスワードを入力できなたかできなかった場合には、「○」が記述される。つまり、現在、解除パスワードの入力エラー状態にあることを示す。なお、初期値においては「×」が記述されている。
【００６４】
3.3.  その他の情報
解除パスワードとは、携帯電話１１において入力キー１１７から所定の操作が禁止されている状態（入力キーロック状態）となった場合に、当該入力キーロック状態を解除するためのパスワードをいう。解除パスワードについては、予め設定しておき、設定した解除パスワードをユーザに知らせる。又は、ユーザ自身が予め設定しておく。
【００６５】
緊急時メールアドレスとは、携帯電話１１が「落下」、「衝撃」、「放置」等の異常状態にある場合に、ユーザにその旨を通知する際のメールアドレスをいう。本実施例においては、携帯電話１１のユーザが利用しやすいユーザ固有のメールアドレスを予め登録しておく。
【００６６】
4.  携帯電話１１の動作
携帯電話１１には、入力キー１１７がロックされていない状態（通常状態）と入力キー１１７がロックされている状態（入力キーロック状態）とがある。以下において、それぞれの状態における携帯電話１１のＣＰＵ１１１が悪用防止プログラムに基づいて行う処理について説明する。
【００６７】
4.1.  通常状態処理
携帯電話１１のＣＰＵ１１１が悪用防止プログラムに基づいて行う通常状態処理について、図５を用いて説明する。携帯電話１１のＣＰＵ１１１は、電源がオンになったと判断すると（Ｓ１１）、加速度センサ１１４から加速度を取得する（Ｓ１３）。また、ＣＰＵ１１１は取得した加速度を加速度履歴情報へ記述する（Ｓ１５）。
【００６８】
そして、ＣＰＵ１１１は、取得した加速度に基づいて、現在の携帯電話１１の状態を判断する状態判断処理を実行する（Ｓ１７）。ここで、状態判断処理について、図６を用いて説明する。
【００６９】
ＣＰＵ１１１は、加速度を獲得すると、当該加速度情報の値が落下しきい値より大きいか否かを判断する（Ｓ１７０１）。ここで、落下しきい値とは、携帯電話１１が落下したか否かを判断するための値である。ＣＰＵ１１１は、落下しきい値より大きいと判断すると、携帯電話１１が落下したと判断する（Ｓ１７０３）そして、ＣＰＵ１１１は、状態記録情報に落下した旨を記述する（Ｓ１７０５）。具体的には、状態記録情報の［状態］列に「落下」と記述する。
【００７０】
ＣＰＵ１１１は、ステップＳ１７０１において当該加速度の値が落下しきい値より大きくないと判断すると、次ぎに、当該加速度の値が衝撃しきい値より大きいか否かを判断する（Ｓ１７０７）。ここで、衝撃しきい値とは、携帯電話１１が衝撃を受けたか否かを判断するための値である。なお、衝撃しきい値は、落下しきい値より小さい値となる。ＣＰＵ１１１は、衝撃しきい値より大きいと判断すると、携帯電話１１が衝撃を受けたと判断する（Ｓ１７０９）そして、ＣＰＵ１１１は、状態記録情報に衝撃を受けた旨を記述する（Ｓ１７１１）。具体的には、状態記録情報の［状態］列に「衝撃」と記述する。
【００７１】
さらに、ＣＰＵ１１１は、ステップＳ１７０７において当該加速度の値が衝撃しきい値より大きくないと判断すると、次ぎに、加速度履歴情報をメモリ１１３から取得する（Ｓ１７１３）。そして、ＣＰＵ１１１は、加速度の値が所定時間以上、変化がしてないか否かを判断する（Ｓ１７１５）。ここで、加速度の値に変化がないとは、全く加速度の値が変化しない場合のみならず、所定の範囲内での変化しかない場合も含む。なお、所定時間以上の判断に際しては、携帯電話１１が有するタイマー回路を用いる。以下、時間に関する判断においては、当該タイマー回路を用いる。
【００７２】
ＣＰＵ１１１は、変化がないと判断すると、当該携帯電話１１が充電中であるか否かを判断する（Ｓ１７１６）。ＣＰＵ１１１は、充電中でないと判断すると、携帯電話１１が放置されていると判断する（Ｓ１７１７）そして、ＣＰＵ１１１は、状態記録情報に放置されている旨を記述する（Ｓ１１９）。具体的には、状態記録情報の［状態］列に「放置」と記述する。
【００７３】
ＣＰＵ１１１は、携帯電話１１について、落下している、衝撃を受けた、及び放置されていると判断した場合、異常状態にあると判断する（Ｓ１７２１）。このように、ＣＰＵ１１１は、検出した加速度に基づいて、携帯電話１１がおかれた状態が異常状態であるか否かを判断する。
【００７４】
図５に戻って、ＣＰＵ１１１は、携帯電話１１のおかれた状態が異常状態であると判断すると、入力キー１１７に対する所定の操作入力を禁止するために入力キー１１７をロックする（Ｓ２１）。そして、ＣＰＵ１１１は、現在の携帯電話１１の状態をユーザに知らせるための状態報知処理を実行する（Ｓ２３）。ここで、状態報知処理について、図７を用いて説明する。
【００７５】
ＣＰＵ１１１は、ＧＰＳ回路１１６を介して、現在の位置を示す位置情報を取得する（Ｓ２３０１）。また、ＣＰＵ１１１は、現在の解除パスワードをハードディスク２１３から取得する（Ｓ２３０３）。ＣＰＵ１１１は、取得した位置情報及び解除パスワードを状態記録情報へ記録する（Ｓ２３０５）。さらに、ＣＰＵ１１１は、現在は解除パスワードの入力において誤った解除パスワードが入力された解除エラー場面ではないので、状態記録情報へその旨記録する（Ｓ２３０７）。
【００７６】
また、ＣＰＵ１１１は、現在の時刻を取得する（Ｓ２３０９）。さらに、ＣＰＵ１１１は、ハードディスク２１３から緊急時メールアドレスを取得する（Ｓ２３１１）。さらに、ＣＰＵ１１１は、メモリ１１３から状態記録情報を取得する（Ｓ２３１２）。
【００７７】
そして、ＣＰＵ１１１は、状態記録情報、現在時刻、及び緊急時メールアドレスに基づいて、状態告知メールを生成する（Ｓ２３１３）。ＣＰＵ１１１は、生成した状態告知メールを緊急時メールアドレスへ送信する（Ｓ２３１５）。
【００７８】
図８Ａに取得した状態記録情報の一例を示す。また、図８Ｂに図８Ａに示す状態記録情報から生成される状態告知メールの一例を示す。状態告知メールの本文には、少なくとも、携帯電話１１の現在の状態、現在位置、及び現在の解除パスワードが含まれる。なお、本文の内容については、予めひな形がハードディスク２１３へ記憶されている。ＣＰＵ１１１は、状態記録情報から所定の値を取得して、対応する部分にその内容をあてはめることによって、状態告知メールを生成する。
【００７９】
4.2.  入力キーロック状態処理
次ぎに、携帯電話１１のＣＰＵ１１１が悪用防止プログラムに基づいて行う入力キーロック状態処理について、図９を用いて説明する。携帯電話１１のＣＰＵ１１１は、入力キー１１７からの所定の動作に対する外部からの操作入力が禁止されている状態、つまり所定の動作に対して入力キー１１７がロックされている状態において、入力キー１１７からの入力があったと判断すると（Ｓ３１）、解除パスワード確認処理を実行する（Ｓ３３）。
【００８０】
また、ＣＰＵ１１１は、入力キー１１７をロックしてから、予め設定された定期連絡のための期間（定期連絡期間）が経過したと判断すると（Ｓ３５）、定期連絡処理を実行する（Ｓ３７）。ここで、定期連絡期間とは、携帯電話１１が入力キーロック状態となっていることを当該携帯電話１１の真のユーザが忘れないようにするためのメールを配信する期間をいう、
さらに、ＣＰＵ１１１は、状態記録情報を取得し（Ｓ４１）、現在の状態を判断する（Ｓ４３）。ＣＰＵ１１１は、現在の状態が放置状態であると判断すると、解除パスワード変更処理を実行する（Ｓ４５）。ＣＰＵ１１１は、電源がオフとなるまで、これまでの処理を繰り返す（Ｓ４７）。以下において、解除パスワード確認処理（Ｓ３３）、定期連絡処理（Ｓ３７）、及び解除パスワード変更処理（Ｓ４５）について説明する。
【００８１】
4.2.1  解除パスワード確認処理
ＣＰＵ１１１が行う解除パスワード確認処理について、図１０用いて説明する。ＣＰＵ１１１は、ステップＳ３１（図９参照）における入力が所定の動作であるか否かを判断する（Ｓ３３０１）。外部からの操作入力が禁止される所定の動作（以下、入力禁止操作とする。）とは、外部への通話発信、電子メールの送信、アドレス帳の閲覧・登録・変更等の携帯電話１１のユーザが望まない第三者の使用態様に関する動作をいう。ＣＰＵ１１１は、入力された操作が入力禁止操作であると判断すると解除パスワードの入力を求めるメッセージをＬＣＤ１１８へ出力する（Ｓ３３０３）。ＣＰＵ１１１は、入力キー１１７を介し現在において携帯電話１１を手にしているユーザから解除パスワードを取得する（Ｓ３３０５）。この時に取得した解除パスワードを、取得解除パスワードとする。
【００８２】
ＣＰＵ１１１は、メモリ１１３に登録されている解除パスワード（以下、登録解除パスワードとする。）を取得する（Ｓ３３０７）。そして、ＣＰＵ１１１は、取得解除パスワードと登録解除パスワードとが一致するか否かを判断する（Ｓ３３０８）。つまり、取得解除パスワードが正しい解除パスワードであるか否かを判断する。
【００８３】
ＣＰＵ１１１は、取得解除パスワードと登録解除パスワードとが一致しないと判断すると、正確に解除パスワードを入力できなたかできなかった旨を状態記録情報に記述する。Ｓ３３０９）。具体的には、状態記録情報の［解除エラー］列に「○」を記述する。
【００８４】
また、ＣＰＵ１１１は、現在の時刻を取得する（Ｓ３３１０）。さらに、ＣＰＵ１１１は、ハードディスク２１３から緊急時メールアドレスを取得する（Ｓ３３１１）。さらに、ＣＰＵ１１１は、メモリ１１３から状態記録情報を取得する（Ｓ３３１２）。
【００８５】
そして、ＣＰＵ１１１は、状態記録情報、現在時刻、及び緊急時メールアドレスに基づいて、入力キーロック状態の解除エラーがあった旨を知らせる解除エラー告知メールを生成する（Ｓ３３１３）。ＣＰＵ１１１は、生成した解除エラー告知メールを緊急時メールアドレスへ送信する（Ｓ３３１５）。
【００８６】
図１１Ａに取得した状態記録情報の一例を示す。また、図１１Ｂに図１１Ａに示す状態記録情報から生成される解除エラー告知メールの一例を示す。解除エラー告知メールの本文には、少なくとも、携帯電話１１の現在の状態、現在位置、及び現在の解除パスワードが含まれる。
【００８７】
図１０に戻って、ＣＰＵ１１１は、ステップＳ３３０９において取得解除パスワードと登録解除パスワードとが一致すると判断、つまり取得解除パスワードは正しいパスワードであると判断すると、入力キーロック状態を解除する（Ｓ３３１７）。そして、ＣＰＵ１１１は、通常状態処理（図５参照）を実行する（Ｓ３３１９）。
【００８８】
4.2.2  定期連絡処理
ＣＰＵ１１１が行う定期連絡処理について、図１２用いて説明する。ＣＰＵ１１１は、定期連絡期間が過ぎたと判断すると（図９参照）、現在の時刻を取得する（Ｓ３７０１）。さらに、ＣＰＵ１１１は、ハードディスク２１３から緊急時メールアドレスを取得する（Ｓ３７０３）。さらに、ＣＰＵ１１１は、メモリ１１３から状態記録情報を取得する（Ｓ３７０４）。
【００８９】
そして、ＣＰＵ１１１は、状態記録情報、現在時刻、及び緊急時メールアドレスに基づいて、定期連絡期間を過ぎても異常状態ある旨を知らせる定期連絡メールを生成する（Ｓ３７０５）。ＣＰＵ１１１は、生成した定期連絡メールを緊急時メールアドレスへ送信する（Ｓ３７０７）。
【００９０】
図１３Ａに取得した状態記録情報の一例を示す。また、図１３Ｂに図１３Ａに示す状態記録情報から生成される定期連絡メールの一例を示す。定期連絡メールの本文には、少なくとも、携帯電話１１の現在の状態、現在位置、及び現在の解除パスワードが含まれる。
【００９１】
4.2.3  解除パスワード変更処理
ＣＰＵ１１１は、長期間、携帯電話１１が放置状態にあると判断すると、自動的に解除パスワードを変更する。これによって、第三者が解除パスワードを知り得る可能性を低くすることができる。ＣＰＵ１１１が行う解除パスワード変更処理について、図１４用いて説明する。
【００９２】
ＣＰＵ１１１は、入力キーロック状態となってからパスワード変更期間が経過したと判断すると（Ｓ４５０１）、解除パスワードを新たに生成する（Ｓ４５０３）。そして、ＣＰＵ１１１は、生成した解除パスワードをメモリ１１３に現在登録している解除パスワードに代えて、新たに記憶する（Ｓ４５０５）。
【００９３】
ＣＰＵ１１１、現在の時刻を取得する（Ｓ４５０７）。さらに、ＣＰＵ１１１は、ハードディスク２１３から緊急時メールアドレスを取得する（Ｓ４５０９）。さらに、ＣＰＵ１１１は、メモリ１１３から状態記録情報を取得する（Ｓ４５１０）。
【００９４】
そして、ＣＰＵ１１１は、状態記録情報、現在時刻、緊急時メールアドレス、及び新たに生成した解除パスワードに基づいて、解除パスワードが変更された旨を知らせる解除パスワード変更メールを生成する（Ｓ４５１１）。ＣＰＵ１１１は、生成した解除パスワード変更メールを緊急時メールアドレスへ送信する（Ｓ４５１３）。
【００９５】
図１５Ａに取得した状態記録情報の一例を示す。また、図１５Ｂに図１５Ａに示す状態記録情報から生成される解除パスワード変更メールの一例を示す。解除パスワード変更メールの本文には、少なくとも、携帯電話１１の現在の状態、現在位置、及び変更後の解除パスワードが含まれる。
【００９６】
［その他の実施例］
（１）解除パスワードの変更
前述の実施例１においては、入力キーロック状態となってからパスワード変更期間が過ぎてから解除パスワードの変更を行うこととした。しかし、解除パスワードを変更するものであれば、これに限定されない。例えば、入力キーロック状態となったときに、解除パスワードを変更するものとしてもよい。これにより、携帯電話１１が放置等の異常状態となった後は、真のユーザのみが変更後の解除パスワードを知ることとなるので、第三者の悪用を防止できる。
【００９７】
また、第三者による操作入力があったときに、解除パスワードを変更するものとしてもよい。第三者による操作入力があったということは、悪用される可能性が高いことを意味するので、このときに解除パスワードを変更することによって、当該第三者の悪用を効率的に防止することができる。
【００９８】
さらに、第三者から獲得した解除パスワードが適当なものでなかったときに、解除パスワードを変更するものとしてもよい。第三者から獲得した解除パスワードが適当なものでないということは、第三者は何らかの意志を持って当該携帯電話１１を使用しようとしていると考えられるので、悪用される可能性が非常に高いことを意味する。したがって、このときに解除パスワードを変更することによって、当該第三者の悪用を効率的に防止することができる。
【００９９】
さらに、上記各タイミングでの解除パスワードの変更を組み合わせるようにしてもよい。これにより、より確実に第三者の悪用を防止することができる。
【０１００】
さらに、解除パスワードの変更が生ずる毎に、解除パスワードを複雑なもとするようにしてもよい。例えば、解除パスワードの桁数を増加させるようにしてもよい。
【０１０１】
さらに、解除パスワードの変更に伴って、内部データに対して暗号化をかけるようにしてもよい。さらに、解除パスワードの変更に伴って、暗号化の方式を変更するようにしてもよい。
【０１０２】
（２）メール送信
前述の実施例１においては、状態告知メール、解除エラー告知メール等の各メールを予め登録されたユーザ固有の電子メールアドレスへ送信することとした。しかし、前述の各メールを携帯電話１１の真のユーザ若しくは当該ユーザに関係する者へ送信できるものであれば、これに限定されない。例えば、予め定められた所定のメールサーバへ送信することとするようにしてもよい。これにより、携帯電話１１の状態を一括して管理することができる。
【０１０３】
また、携帯電話１１の真のユーザへ送信する前に、所定のメールサーバへ送信することとすることによって、当該メールサーバ若しくは当該メールサーバに接続された他のサーバにおいて、前記各メールに対して加工処理を行うことが可能となる。例えば、前記各メールに含まれる位置情報に基づき、当該位置情報に対応する地図情報を前記各メールに添付して、真のユーザに送信するようにしてもよい。これにより、携帯電話１１が存在する場所をより正確に把握することができる。
【０１０４】
（３）状態判断
前述の実施例１においては、異常状態として落下、衝撃、放置を例示したが、段三者による悪用が想定される状態であれば、これに限定されない。
【０１０５】
また、前述の実施例１においては、加速度センサ１１４から取得した加速度の値が、落下しきい値、衝撃しきい値を超えた場合に、携帯電話１１が落下した、衝撃を受けたと判断したが、落下や衝撃等の異常状態を判断できるものであれば、これに限定されない。例えば、予め落下したときや衝撃を受けたとき等、異常状態の典型的な加速度の動きを記憶しておき、加速度履歴情報からそれぞれの異常状態を判断するようにしてもよい。
【０１０６】
（４）携帯電話
前述の実施例１においては、携帯端末として携帯電話１１を示したが、これに限定されない。例えば、ＰＤＡ等の通信端末であってもよい。
【０１０７】
また、前述の実施例１においては、一般的な携帯電話通信網を利用する携帯電話を例示したが、これに限定されない。例えば、ＩＰ網を利用したＩＰ電話等であってもよい。
【０１０８】
（５）携帯電話のおかれた状態の検出（状態検出手段）
前述の実施例１においては、加速度センサ１１４を用いて、携帯電話１１の状態を検出することとした。しかし、携帯端末の状態を検出できるものであれば、これに限定されない。例えば、携帯電話１１が有する位置検出手段としてのＧＰＳ回路１１６を用いて、携帯電話１１の状態を検出するようにしてもよい。ＧＰＳ回路１１６によって検出された携帯電話１１の位置が予め定められた範囲外に移動すれば、当該携帯電話１１が他人に持ち去れた等と判断し、異常状態と判断する。
【０１０９】
また、前述の実施例１における加速度センサ１１４による検出と前述のＧＰＳ回路１１６による検出とを組み合わせるようにしてもよい。
【０１１０】
（６）状態判断の自己学習
さらに、前述の実施例１に加えて、加速度センサ１１４によって、携帯電話１１の状態の判断に伴って、状態判断の判断基準を自己学習するようにしてもよい。予め設定された落下しきい値等のデータに基づいて携帯電話１１が落下等と判断し、ロック状態としたが、すぐにロック状態が解消された場合には、当該落下しきい値等を増減することによって、変更するようにすればよい。
【０１１１】
また、携帯電話１１を利用するユーザが移動するルートを予め設定している場合には、それから外れたルートを通る場合に異常状態と判断し、ロック状態としたが、すぐにロック状態が解消された場合には、当該ルートについては異常状態としないようにルートの設定を変更するようにすればよい。なお、当該落下しきい値、ルート等の変更にあたっては、一般的な自己学習機能を付加すればよい。
【図面の簡単な説明】
【０１１２】
【図１】本発明における携帯端末の実施例１における機能ブロック図を示した図である。
【図２】携帯電話１１のハードウェア構成を示した図である。
【図３】加速度履歴情報のデータ構造を示した図である。
【図４】状態記録情報のデータ構成を示した図である。
【図５】通常状態処理を示したフローチャートである。
【図６】状態判断処理を示したフローチャートである。
【図７】状態報知処理を示したフローチャートである。
【図８】状態告知メールの一例を示した図であり、Ａは状態告知メールを生成する際の状態記録情報を、ＢはＡの状態記録情報に基づいて生成される状態告知メールの一例を示した図である。
【図９】入力キーロック状態処理を示したフローチャートである。
【図１０】解除パスワード確認処理を示したフローチャートである。
【図１１】解除エラー告知メールの一例を示した図であり、Ａは解除エラー告知メールを生成する際の状態記録情報を、ＢはＡの状態記録情報に基づいて生成される解除エラー告知メールの一例を示した図である。
【図１２】定期連絡処理を示したフローチャートである。
【図１３】定期連絡メールの一例を示した図であり、Ａは定期連絡メールを生成する際の状態記録情報を、ＢはＡの状態記録情報に基づいて生成される定期連絡メールの一例を示した図である。
【図１４】解除パスワード変更処理を示したフローチャートである。
【図１５】解除パスワード変更メールの一例を示した図であり、Ａは解除パスワード変更メールを生成する際の状態記録情報を、ＢはＡの状態記録情報に基づいて生成される解除パスワード変更メールの一例を示した図である。
【図１６】従来の携帯電話の悪用防止方法を説明するための図である。
【図１７】従来の携帯電話の悪用防止方法を説明するための図である。
【符号の説明】
【０１１３】
Ｍ１・・・・・携帯端末
ｍ１・・・・・入力手段
ｍ３・・・・・加速度検出手段
ｍ５・・・・・状態判断手段
ｍ７・・・・・入力禁止手段
ｍ１１・・・・・解除情報記憶手段
ｍ１３・・・・・解除情報取得手段
ｍ１５・・・・・解除情報判断手段
ｍ１７・・・・・入力禁止解除手段
ｍ１９・・・・・登録解除情報変更手段
ｍ２１・・・・・解除情報変更報知手段
ｍ２３・・・・・アドレス記憶手段
【図１】
2008104231.tif 000003
【図２】
2008104231.tif 000004
【図３】
2008104231.tif 000005
【図４】
2008104231.tif 000006
【図５】
2008104231.tif 000007
【図６】
2008104231.tif 000008
【図７】
2008104231.tif 000009
【図８】
2008104231.tif 000010
【図９】
2008104231.tif 000011
【図１０】
2008104231.tif 000012
【図１１】
2008104231.tif 000013
【図１２】
2008104231.tif 000014
【図１３】
2008104231.tif 000015
【図１４】
2008104231.tif 000016
【図１５】
2008104231.tif 000017
【図１６】
2008104231.tif 000018
【図１７】
2008104231.tif 000019